(57)【要約】【課題】少なくとも揮発性物質を汚染物質として含む汚染土壌から、効率的且つ効果的に揮発性物質を除去することを可能にする汚染土壌の浄化処理方法を提供する。【解決手段】少なくとも揮発性物質を汚染物質として含む汚染土壌を浄化処理する方法であって、汚染土壌を振動ふるいでふるい分け処理することにより、揮発性物質の揮発を促進させて汚染土壌から揮発性物質を除去するようにした。【選択図】なし【特許請求の範囲】
【請求項１】
少なくとも揮発性物質を汚染物質として含む汚染土壌を浄化処理する方法であって、
前記汚染土壌を振動ふるいでふるい分け処理することにより、前記揮発性物質の揮発を促進させて前記汚染土壌から前記揮発性物質を除去するようにしたことを特徴とする汚染土壌の浄化処理方法。
【請求項２】
請求項１記載の汚染土壌の浄化処理方法において、
前記汚染土壌を土壌洗浄処理工法で洗浄処理する前処理として前記汚染土壌をふるい分け処理する際に、前記汚染土壌から前記揮発性物質を除去するようにしたことを特徴とする汚染土壌の浄化処理方法。
【発明の詳細な説明】
【技術分野】
【０００１】
本発明は、汚染土壌の浄化処理方法に関する。
【背景技術】
【０００２】
従来、汚染土壌を浄化処理する技術の一つとして、土壌洗浄処理工法が多用されている。この土壌洗浄処理工法は、汚染現場から掘削除去した汚染土壌を水などの洗浄液で洗い、汚染物質を土壌から分離除去することで、汚染土壌を浄化処理する手法である（例えば、特許文献１参照）。
【０００３】
一方、このとき、汚染物質は、シルトや粘土の細粒子に多く吸着している傾向があるため、土壌洗浄処理工法を適用する際には、図１に示すように、予め、例えば０．０７５ｍｍの粒径を境に、汚染土壌を粗粒子と細粒子に分離（分級）する。そして、浄化処理効率などの観点から、汚染物質濃度が高い細粒分を濃縮汚染土として外部搬出して処分し、粗粒分に対して洗浄処理を施して洗浄後の土を再利用するようにしている。
【先行技術文献】
【特許文献】
【０００４】
【特許文献１】特開２００６−２５５５１５号公報
【発明の概要】
【発明が解決しようとする課題】
【０００５】
しかしながら、上記従来の土壌洗浄処理工法は、一般に、重金属類、揮発性物質以外の有機汚染物質などの不揮発性物質（難（低）揮発性物質）で汚染された土壌の浄化処理に適用されており、ベンゼン、トリクロロエチレン、テトラクロロエチレンなどの揮発性物質で汚染された土壌への適用は、汚染物質の揮散ひいては拡散を制御する必要性から難しいと考えられている。
【０００６】
そして、従来、揮発性物質と不揮発性物質を汚染物質として含む複合汚染した土壌を土壌洗浄処理工法で浄化処理しようとする際には、予め、生石灰混合処理工法などによる別工程で汚染土壌から揮発性物質を除去するようにし、この別工程で処理した後の汚染土壌から土壌洗浄処理工法によって不揮発性物質を除去するようにしている。このため、汚染土壌の浄化処理に多大な労力と手間を要している。
【０００７】
本発明は、上記事情に鑑み、少なくとも揮発性物質を汚染物質として含む汚染土壌から、効率的且つ効果的に揮発性物質を除去することを可能にする汚染土壌の浄化処理方法を提供することを目的とする。
【課題を解決するための手段】
【０００８】
上記の目的を達するために、この発明は以下の手段を提供している。
【０００９】
本発明の汚染土壌の浄化処理方法は、少なくとも揮発性物質を汚染物質として含む汚染土壌を浄化処理する方法であって、前記汚染土壌を振動ふるいでふるい分け処理することにより、前記揮発性物質の揮発を促進させて前記汚染土壌から前記揮発性物質を除去するようにしたことを特徴とする。
【００１０】
また、本発明の汚染土壌の浄化処理方法においては、前記汚染土壌を土壌洗浄処理工法で洗浄処理する前処理として前記汚染土壌をふるい分け処理する際に、前記汚染土壌から前記揮発性物質を除去するようにしてもよい。
【発明の効果】
【００１１】
本発明の汚染土壌の浄化処理方法においては、少なくとも、例えばベンゼンやトリクロロエチレン、テトラクロロエチレンなどの揮発性物質を汚染物質として含む汚染土壌を浄化処理する際に、この汚染土壌を振動ふるいでふるい分け処理することによって、汚染土壌が粒子化して空気との接触面積を増大させ、さらに土粒子を撹拌混合するように処理することができる。これにより、汚染土壌に含まれた揮発性物質（汚染物質）の揮発を促進させることができ、効率的且つ効果的に汚染土壌から揮発性物質を除去することが可能になる。
【００１２】
また、揮発性物質と、不揮発性物質（難（低）揮発性物質を含む）を汚染物質として含む複合汚染した汚染土壌を、土壌洗浄処理工法を適用して浄化処理する場合など、従来の土壌洗浄処理工法の前処理として行う汚染土壌の振動ふるい分けによるふるい分け処理の際に、汚染土壌から揮発性物質を除去することで、揮発性物質を除去する工程を別途要することなく、土壌洗浄処理工法の一連の作業工程内で揮発性物質を除去することができる。これにより、揮発性物質を汚染物質として含む汚染土壌を、土壌洗浄処理工法を適用して効率的且つ効果的に浄化処理することが可能になる。
【図面の簡単な説明】
【００１３】
【図１】土壌洗浄処理工法の浄化メカニズムを示す図である。
【発明を実施するための形態】
【００１４】
以下、本発明の一実施形態に係る汚染土壌の浄化処理方法について説明する。
【００１５】
本実施形態の汚染土壌の浄化処理方法では、少なくとも、例えばベンゼンやトリクロロエチレン、テトラクロロエチレンなどの揮発性物質を汚染物質として含む汚染土壌を振動ふるいでふるい分け処理する。例えば、０．５ｍｍ程度のふるい目のふるいを用いて汚染土壌を細粒分と粗粒分にふるい分けする。
【００１６】
ここで、揮発性物質を含む汚染土壌は、一般にバックホウのバケットを利用するなどして撹拌すると、土壌の撹拌による曝気作用によって揮発性物質の揮発が促進され、ある程度浄化処理が行なえる。
【００１７】
このため、上記のように、揮発性物質を含む汚染土壌を振動ふるいでふるい分け処理すると、汚染土壌が粒子化して空気との接触面積が増大し、さらに土粒子が撹拌混合されることで、汚染土壌に含まれた揮発性物質の揮発が促進する。
【００１８】
これにより、本実施形態の汚染土壌の浄化処理方法のように汚染土壌を振動ふるいでふるい分け処理することにより、効率的且つ効果的に汚染土壌から揮発性物質が除去されることになる。
【００１９】
また、このとき、汚染土壌から揮発した揮発性物質が外部に拡散することを防止するため、振動ふるいをフードなど（外郭体）で囲繞しておくことが望ましい。そして、このフードの内部空気を適宜吸引し、活性炭で空気中の揮発性物質を吸着除去するなどし、汚染物質を含まない清浄な状態で空気を外部に排出させる。
【００２０】
さらに、汚染土壌を土壌洗浄処理工法で洗浄処理する前処理として汚染土壌をふるい分け処理する際に、汚染土壌から揮発性物質を除去するようにしてもよい。
【００２１】
具体的に、揮発性物質と、重金属類などの不揮発性物質（難（低）揮発性物質を含む）を汚染物質として含む複合汚染した汚染土壌を、土壌洗浄処理工法を適用して浄化処理する場合には、従来の土壌洗浄処理工法の前処理として行う汚染土壌の振動ふるい分けによるふるい分け処理の際に、上記のようにこの振動ふるい分けによるふるい分け処理とともに汚染土壌から揮発性物質を除去する。これにより、揮発性物質を除去するための生石灰混合法などの別工程を要することなく、土壌洗浄処理工法の一連の作業工程内で揮発性物質の除去が行えることになる。
【００２２】
したがって、本実施形態の汚染土壌の浄化処理方法においては、少なくとも揮発性物質を汚染物質として含む汚染土壌を浄化処理する際に、この汚染土壌を振動ふるいでふるい分け処理することによって、汚染土壌が粒子化して空気との接触面積を増大させ、さらに土粒子を撹拌混合するように処理することができる。これにより、汚染土壌に含まれた揮発性物質（汚染物質）の揮発を促進させることができ、効率的且つ効果的に汚染土壌から揮発性物質を除去することが可能になる。
【００２３】
また、揮発性物質と不揮発性物質を汚染物質として含む複合汚染した汚染土壌を、土壌洗浄処理工法を適用して浄化処理する場合など、従来の土壌洗浄処理工法の前処理として行う汚染土壌の振動ふるい分けによるふるい分け処理の際に、汚染土壌から揮発性物質を除去することで、揮発性物質を除去する工程を別途要することなく、土壌洗浄処理工法の一連の作業工程内で揮発性物質を除去することができる。言い換えれば、複合汚染した汚染土壌を土壌洗浄処理工法のみで浄化処理することが可能になる。これにより、揮発性物質を汚染物質として含む汚染土壌を、土壌洗浄処理工法を適用して効率的且つ効果的に浄化処理することが可能になる。
【００２４】
以上、本発明に係る汚染土壌の浄化処理方法の一実施形態について説明したが、本発明は上記の実施形態に限定されるものではなく、その趣旨を逸脱しない範囲で適宜変更可能である。
【図１】
2015231589.tif 000002